(57)【要約】【課題】音の出口用孔が外部に露出せず、外部からの飛散水が音の出口用孔から内部に浸入しないと共に外観が良い。音の出口用孔が建物の壁により塞がれることがない。簡単な構成で音響室を構成できると共に底板上に結露水が流れてきてもスピーカ側に結露水が浸入することがなく、音質や音量が安定する。【解決手段】電解槽１を内部に設けた本体ケース２に設置用脚部４を設けると共に本体ケース２の底板７を設置用脚部４の下端よりも上方に位置させる。本体ケース２の底板７の上面に環状突部３を突設する。環状突部３の上面にスピーカ５を取付けて環状突部３に囲まれた空所を共鳴室６とすると共に底板７の環状突部３に囲まれた部位に共鳴室６と底板７下方の下空所８とを連通する音の出口用孔９を設ける。本体ケース２の設置用脚部４に底板７下方の下空所８と外部空間とを連通する開口部１０を形成する。【選択図】図１
2007196078.tif 000002
【特許請求の範囲】
【請求項１】
水を電解してアルカリイオン水を生成する電解槽を内部に設けた本体ケースに設置用脚部を設けると共に本体ケースの底板を設置用脚部の下端よりも上方に位置させ、該本体ケースの底板の上面に環状突部を突設し、環状突部の上面にアルカリイオン整水器の音声ガイドを行なうためのスピーカを取付けて環状突部に囲まれた空所を共鳴室とすると共に底板の環状突部に囲まれた部位に共鳴室と底板下方の下空所とを連通する音の出口用孔を設け、本体ケースの設置用脚部に底板下方の下空所と外部空間とを連通する開口部を形成して成ることを特徴とするアルカリイオン整水器。
【請求項２】
底板下方の下空所に電解槽への給水ホース、吐出ホース、給電用配線のうち少なくとも一つを配置すると共に、給水ホース、吐出ホース、給電用配線のうち少なくとも一つを開口部に遊嵌状態で挿通して外部空間に導出して成ることを特徴とする請求項１記載のアルカリイオン整水器。
【請求項３】
スピーカの振動板の周囲に防振ゴムを介在した状態で振動板を環状突部の上面に取付けて成ることを特徴とする請求項１又は請求項２記載のアルカリイオン整水器。
【発明の詳細な説明】
【技術分野】
【０００１】
本発明は、音声ガイドを行うスピーカをアルカリイオン整水器に設けるための技術に関するものである。
【背景技術】
【０００２】
従来から原水を電解処理をしてアルカリイオン水や酸性水を吐水する際に音声ガイドしたり、電解処理をすることなく浄水カートリッジのみを通して原水を浄水にして吐水する際に音声ガイドしたり、あるいは、浄水カートリッジの交換時期を知らせるために音声ガイドするために、アルカリイオン整水器に音声ガイドを行なうためのスピーカを設けることが知られている（例えば特許文献１参照）。
【０００３】
なお、特許文献１においては、音声ガイドを行なうためのスピーカを具体的にアルカリイオン整水器のどこにどのようにして設けるかということについては一切開示はしてないが、一般にアルカリイオン整水器は、電解槽、浄水カートリッジを内装した本体ケースの壁部の内面側に取付け、本体ケースの壁部に音の出口用孔を設け、この本体ケースの壁部に設けた音の出口用孔から外部に音声を出すようにしている。
【０００４】
ところが、アルカリイオン整水器は流し台上等に設置されるのが一般的であり、本体ケースの壁部に水がかかり易い。特に、アルカリイオン整水器の正面となる本体ケースの正面壁部には水がかかり易い。このため、本体ケースの正面となる正面壁部に音の出口用孔を設けた場合、音の出口用孔から内部に水が浸入するという問題があり、更に、音の出口用孔に水垢や汚れが付着して外観が悪くなり、また、音の出口用孔が詰まって時間の経過と共に音質や音量が低下するという問題がある。
【０００５】
そこで、アルカリイオン整水器の左右いずれかの側壁部又は背面壁部に音の出口用孔を設けると正面壁部に設ける場合に比べて水がかかり難く、また、正面から見えないので外観も良くなるが、アルカリイオン整水器を建物の壁に接して設置する場合、設置場所によっては音の出口用孔が建物の壁によって塞がれ、音声ガイドに必要な十分な音質や音量が得られないという問題がある。
【０００６】
また、本体ケース内には水が通る配ホース、電解槽、浄水カートリッジが内装してあるため、アルカリイオン整水器を設置している部屋が高温で湿度が高いは、本体ケース内で結露が発生する場合があり、この結露水が壁部の内面に沿って流れてスピーカに悪影響を与えるおそれがある。
【特許文献１】特開２０００−５１８５８号公報
【発明の開示】
【発明が解決しようとする課題】
【０００７】
本発明は上記の従来の問題点に鑑みて発明したものであって、音の出口用孔が外部に露出せず、外部からの飛散水が音の出口用孔から内部に浸入するおそれがなく、外観が良く、また、音の出口用孔が建物の壁により塞がれることがなく、また、簡単な構成で音響室を構成できると共に底板上に結露水が流れてきてもスピーカ側に結露水が浸入することがなく、音声ガイドに必要な音質や音量を長時間安定して得られ、また、給水ホース又は吐出ホース又は給電用配線を導出するための開口部を外部への音を出す開口部として兼用できて構成が簡略化され、更に、簡単な構成で振動板の振動が本体ケースに直接伝わるのを防止して本体ケースが振動するのを防止できるアルカリイオン整水器を提供することを課題とするものである。
【課題を解決するための手段】
【０００８】
上記課題を解決するために本発明に係るアルカリイオン整水器は、水を電解してアルカリイオン水を生成する電解槽１を内部に設けた本体ケース２に設置用脚部４を設けると共に本体ケース２の底板７を設置用脚部４の下端よりも上方に位置させ、該本体ケース２の底板７の上面に環状突部３を突設し、環状突部３の上面にアルカリイオン整水器Ａの音声ガイドを行なうためのスピーカ５を取付けて環状突部３に囲まれた空所を共鳴室６とすると共に底板７の環状突部３に囲まれた部位に共鳴室６と底板７下方の下空所８とを連通する音の出口用孔９を設け、本体ケース２の設置用脚部４に底板７下方の下空所８と外部空間とを連通する開口部１０を形成して成ることを特徴とするものである。
【０００９】
このような構成とすることで、本体ケース２の底板７の上面に突設した環状突部３の上面にスピーカ５を取付けることで、環状突部３に囲まれた空所を共鳴室６として構成でき、しかも、底板７の環状突部３に囲まれた部位に共鳴室６と底板７下方の下空所８とを連通する音の出口用孔９を設け、本体ケース２の設置用脚部４に底板７下方の下空所８と外部空間とを連通する開口部１０を形成しているので、音の出口用孔９が外部に露出せず、本体ケース２に外部から飛散水がかかっても音の出口用孔９から内部に水が浸入することがなく、水の浸入によるトラブルの発生を防止できると共に音の出口用孔９が建物の壁により塞がれることがない。また、音の出口用孔９への外部からの水の飛散水の浸入を考慮する必要がなく、また、音の出口用孔９が直接建物の壁で塞がれることがないので、外部空間と連通する開口部１０を設ける位置や形態に制約がない。また、本体ケース２内で結露水が発生して底板７上面に流れても、環状突部３の上面にスピーカ５を取付けるので、結露水がスピーカ５に浸入することがない。
【００１０】
また、底板７下方の下空所８に電解槽１への給水ホース１１、吐出ホース１２、給電用配線１３のうち少なくとも一つを配置すると共に、給水ホース１１、吐出ホース１２、給電用配線１３のうち少なくとも一つを開口部１０に遊嵌状態で挿通して外部空間に導出することが好ましい。
【００１１】
このような構成とすることで、下空所８と外部空間とを連通して下空所８を介して外部に音を出すための開口部１０を、電解槽１への給水ホース１１、吐出ホース１２、給電用配線１３のうち少なくとも一つを通して外部空間に導出する部分として兼用でき、構造が簡略化する。しかも、電解槽１への給水ホース１１、吐出ホース１２、給電用配線１３のうち少なくとも一つを挿通する部分は建物の壁に面しない部分であるので、建物の壁により開口部１０が塞がれることがなく、安定した音質、音量の音声メッセージが得られる。
【００１２】
また、スピーカ５の振動板１４の周囲に防振ゴム１５を介在した状態で振動板１４を環状突部３の上面に取付けることが好ましい。
【００１３】
このような構成とすることで、振動板１４の振動が環状突部３を介して本体ケース２に直接伝達することがなく、本体ケース２の振動を防止できる。
【発明の効果】
【００１４】
本発明は、音の出口用孔が外部に露出しないので、外部からの飛散水が音の出口用孔から内部に浸入するおそれがなくて水の浸入によるトラブルを防止できると共に、音の出口用孔が外部に露出しないので外観が良くなる。また、音の出口用孔に水がかかって水垢や汚れ等により塞がれたり、音の出口用孔が建物の壁により塞がれることがない。また、簡単な構成で環状突部にスピーカを取付けるだけで環状突部に囲まれた部分を音響室として構成できると共に、底板上に結露水が流れてきてもスピーカ側に結露水が浸入することがない。これらの理由により、音声ガイドに必要な音質や音量を長時間安定して得られる。
【発明を実施するための最良の形態】
【００１５】
以下、本発明を添付図面に示す実施形態に基いて説明する。
【００１６】
アルカリイオン整水器Ａは、図６に示すように本体ケース２内に、内部配管１６、浄水カートリッジ１７、電解質添加筒１８、電解槽１、制御部１９、スピーカ５等を内装し、更に、図２、図３に示すように本体ケース２の外面部に操作部３３、表示部３４を備えた操作パネル４４を設けて構成してある。
【００１７】
図６に示すように内部配管１６は、給水配管１６ａと、吐出配管１６ｂと、排水配管１６ｃとで構成してある。
【００１８】
電解槽１は、電解隔膜２０を介して第１の電極２１を備える第１の電極室２２と、第２の電極２３を備える第２の電極室２４とに区画されており、各電極室２２、２４にはそれぞれ流入部２５、２６、流出部２７、２８が設けてある。
【００１９】
給水配管１６ａは上流側端部が本体ケース２の外面部に設けた原水が供給される給水側接続部２９となっており、この給水配管１６ａの途中に浄水カートリッジ１７が取外し自在に設けてある。給水配管１６ａの浄水カートリッジ１７を設けた部分より下流側に流量センサ３０が設けてあり、給水配管１６ａは流量センサ３０よりも下流側で第１の分岐流路１６ａ１と第２の分岐流路１６ａ２とに分岐し、第１の分岐流路１６ａ１の途中にカルシウムのような電解質を収納した電解質添加筒１８を設けると共に第１の分岐流路１６ａ１の下流側の端部を電解槽１の第１の電極室２２の流入部２５に接続してあり、第２の分岐路１６ａ２は途中で更に第３の分岐路１６ａ３、第４の分岐路１６ａ４に分岐し、第３の分岐路１６ａ３の下流側の端部を第２の電極室２４の流入部２６に接続してある。
【００２０】
吐出配管１６ｂは上流側端部が第２の電極室２４の流出部２８に接続してあると共に下流側端部が本体ケース２の外面部に設けた吐出側接続部３１に接続してある。
【００２１】
排水配管１６ｃは上流側端部が第１の電極室２２の流出部２７に接続してあると共に上流側端部が本体ケース２に設けた排水側接続部３２に接続してある。また排水配管１６ｃには上記第４の分岐路１６ａ４の下流側端部が接続してあり、この第４の分岐路１６ａ４は途中に絞り部４９が設けてある。
【００２２】
給水側接続部２９、吐出側接続部３１、排水側接続部３２にはそれぞれ給水ホース１１の下流側端部、吐出ホース１２の上流側端部、排水ホース３５の上流側端部が接続してある。
【００２３】
給水ホース１１の上流側端部、吐出ホース１２の下流側端部はそれぞれ水道栓３６の吐出口３７に接続した切換え装置３８に設けた給水用接続口３９、吐出用接続口４０に接続される。
【００２４】
図５、図６に示すように、切換え装置３８には切換レバー４１が設けてあり、切換レバー４１を操作して内部に設けた切換え弁（図示せず）を駆動して流路を切換えるようになっている。すなわち、水道栓３６を経て切換え装置３８に供給される原水（水道水）を切換え装置３８の下面部に設けた原水吐水口４２から直接吐水する原水吐水モードと、水道栓３６を経て切換え装置３８に供給される原水（水道水）を給水用接続口３９から給水ホース１１を介してアルカリイオン整水器Ａに供給し、アルカリイオン整水器Ａで水処理をして該水処理した処理水を吐出ホース１２を介して吐出用接続口４０から再び切換え装置３８に導入させて切換え装置３８の下面部に設けた処理水吐水口４３から吐水する処理水吐水モードとに切換えることができるようになっている。
【００２５】
切換レバー４１を処理水吐水モードに切換えた状態で、電解槽１に設けた第１の電極２１、第２の電極２３に電圧を印加することで、第１の電極室２２、第２の電極室２４のいずれか一方を陰極室としてアルカリイオン水を生成すると共にいずれか他方を陽極室として酸性イオン水を生成し、切換え装置３８の処理水吐水口４３からアルカリイオン水又は酸性水（弱酸性水）を吐水すると共に排水ホース３５から酸性水又はアルカリイオン水を排水するようになっている。また、切換レバー４１を処理水吐水モードに切換えた状態で、電圧を印加しない場合は原水を浄水カートリッジ１７に通過させて浄化した浄化水を処理水吐水口４３から吐水するようになっている。
【００２６】
上記処理水吐水口４３から吐水する処理水の選択は操作部３３を構成する各種操作釦を操作することにより選択するものであり、また、選択した結果は表示部３４に文字や絵として表示されると共にスピーカ５で音声ガイドされ、これらの制御は制御部１９により行われる。また、流量センサ３０により浄水カートリッジ１７を通過した浄水の流量が計測され、計測情報が制御部１９に入力され、流量が予め決められた流量に達すると制御部１９に設けた判定部により浄水カートリッジ１７の交換時期であることが判定され、浄水カートリッジ１７の交換が必要であることを表示部３４で表示すると共に必要に応じてスピーカ５により音声ガイドするようになっている。更に、電解質添加筒１８内に収納した電解質の残量が少なくとなる電解槽１内の電気伝導度が低下するので、補充する必要があるが、第１の電極２１、第２の電極２３への印加電圧、あるいは電流を検出することで、電解質の補充時期を知り、制御部１９に設けた判定部でこれを判定して補充時期になると表示部３４で表示すると共に必要に応じてスピーカ５により音声ガイドするようになっている。
【００２７】
図１乃至図４に示すように本体ケース２には設置用脚部４が設けてあり、本体ケース２の底板７は設置用脚部４の下端よりも上方に位置している。本体ケース２の上面には図１に示すように環状突部３を突設してあり、この環状突部３の上面にアルカリイオン整水器Ａの音声ガイドを行なうためのスピーカ５を取付けてある。すなわち、スピーカ５はスピーカハウジング４５の下開口部に振動板１４を配置して構成してあり、このスピーカ５の振動板１４の周囲に防振ゴム１５を介在した状態で振動板１４を環状突部３の上面内周部に設けた嵌め込み段面部４８に嵌め込み、スピーカハウジング４５を任意の取付け手段で環状突部３に取付けてある。このようにスピーカ５の振動板１４の周囲に防振ゴム１５を介在した状態で環状突部３の上面に取付けることで、振動板１４の振動が環状突部３を介して本体ケース２に直接伝達することがなく、本体ケース２が振動するのを防止している。
【００２８】
また、上記のように本体ケース２の上面には環状突部３を突設してあり、この環状突部３の上面にスピーカ５の振動板１４を取付けることで、環状突部３に囲まれた空所が共鳴室６となっている。底板７の環状突部３に囲まれた部位には共鳴室６と底板７下方の下空所８とを連通する音の出口用孔９が設けてある。
【００２９】
本体ケース２の外面には給水側接続部２９、吐出側接続部３１、排水側接続部３２が設けてあるが、実施形態においては、本体ケース２の底板７の下面に設けてある。
【００３０】
本体ケース２の下端部に設けた設置用脚部４は底板７の下面の四隅部分から下方に脚本体４ａを垂設すると共に、底板７の下面の周囲部から４本の脚本体４ａよりも外側を囲むようにスカート部４ｂを垂設して構成してある。脚本体４ａの最下端はスカート部４ｂの最下端よりも下方に位置していてこの脚本体４ａの最下端が図１に示すように設置面５０に載置されるようになっており、また、本体ケース２の左右両側に位置する左右のスカート部４ｂには切欠き部４６が設けてあり、スカート部４ｂの下端より下方の隣接する脚本体４ａ間の隙間４７及び左右のスカート部４ｂに設けた切欠き部４６が本体ケース２の底板７下方の下空所８と外部空間とを連通し、下空所８から外部にスピーカ５の音がでるための開口部１０となっている。
【００３１】
本体ケース２の底板７の下面に設けた給水側接続部２９、吐出側接続部３１、排水側接続部３２にはそれぞれ給水ホース１１、吐出ホース１２、排水ホース３５が接続してあり、これら給水側接続部２９、吐出側接続部３１、排水側接続部３２への給水ホース１１、吐出ホース１２、排水ホース３５は本体ケース２の接続部分は底板７下方の下空所８内に位置している。また、アルカリイオン整水器Ａへの給電用配線１３が底板７から下方に導出してある。これら給水ホース１１、吐出ホース１２、排水ホース３５、給電用配線１３は左右のスカート部４ｂに設けた開口部１０を構成する切欠き部４６のいずれかから左右いずれかの方向に引出されるものである。図４（ａ）（ｂ）にはそれぞれ給水ホース１１、吐出ホース１２、排水ホース３５、給電用配線１３を左右のスカート部４ｂに設けた開口部１０を構成する切欠き部４６から外部に導出する各例を示している。もちろんこの例にのみ限定されない。ここで、開口部１０を構成する切欠き部４６は略下向きＣ字状に切欠いてあり、給水ホース１１や吐出ホース１２や排水ホース３５や給電用配線１３を遊嵌状態で挿通してあり、底板７下方の下空所８から外部空間にスピーカ５の音がでるようになっている。
【００３２】
上記の構成のアルカリイオン整水器Ａは例えば流し台の上面後部に設置して使用されるものであり、上記開口部１０を構成する切欠き部４６から導出した給水ホース１１の上流側端部、吐出ホース１２の下流側端部をそれぞれ水道栓３６の吐出口３７に接続した切換え装置３８に設けた給水用接続口３９、吐出用接続口４０に接続し、排水ホース３５の下流側端部を流し台のシンク内に臨ませる。また、開口部１０を構成する切欠き部４６から導出した給電用配線１３の端部に設けたプラグを給電用コンセントに接続する。
【００３３】
そして、切換え装置３８の切換レバー４１を切換え操作して原水吐水モードと、処理水吐水モードとを選択し、処理水吐水モードを選択した場合は操作パネル４４に設けた操作部３３に設けた各種操作釦を操作して、切換え装置３８の下面部に設けた処理水吐水口４３からアルカリイオン水や弱酸性イオン水や浄水を選択的に吐水するものである。
【００３４】
これらの操作部３３を構成する各種操作釦を操作結果は表示部３４に文字や絵として表示されると共にスピーカ５で音声ガイドされる。また、浄水カートリッジ１７の交換時期や電解質の補充時期が表示部３４で表示されると共に必要に応じてスピーカ５により音声ガイドされる。
【００３５】
スピーカ５による音声ガイドは、スピーカ５の音が共鳴室６から底板７に設けた音の出口用孔９、底板７下方の下空所８を経て開口部１０から外部に出て使用者に音声ガイドされるものである。
【００３６】
ここで、アルカリイオン整水器Ａは流し台の上面後部に設置されるため、流し台で使用する水の飛散水がかかって、アルカリイオン整水器Ａの本体ケース２の外面、特に前面を濡らおそれがある。しかしながら、本体ケース２内に設けたスピーカ５の音が出るところである音の出口用孔９が本体ケース２の底板７に設けてあるので、音の出口用孔９が外部に露出せず、流し台で使用する水が音の出口用孔９に直接かかって内部に浸入するおそれがなく、水の浸入による種々のトラブルを防止できる。また、外部に露出しないので、外観も良くなる。また、音の出口用孔９を底板７に設けて流し台で使用する水が直接浸入しないようにしているので、音の出口用孔９を前方からの水がかからないように本体ケース２の背面や側面に設けるもののように、アルカリイオン整水器Ａを設置した際に建物の壁により出口用孔９が塞がれるということがない。また、音の出口用孔９に飛散水が直接かからないので、外部空間と連通する開口部１０を設ける位置や形態に制約がなくなり、本実施形態のように、スカート部４ｂの下端より下方の隣接する脚本体４ａ間の隙間４７及び左右のスカート部４ｂに設けた切欠き部４６を開口部１０として構成しても何ら問題はなく、背面や一側面の開口部１０が建物の壁で塞がれても確実に外部空間にスピーカ５からの安定した音量、音質の音声ガイドを出すことができる。しかも、この場合、下空所８と外部空間とを連通して下空所８を介して外部に音を出すための開口部１０を、電解槽１への給水ホース１１、吐出ホース１２、給電用配線１３のうち少なくとも一つを通して外部空間に導出する部分として兼用でき、構造が簡略化する。しかも、電解槽１への給水ホース１１、吐出ホース１２、給電用配線１３のうち少なくとも一つを挿通する部分は建物の壁に面しない部分であるので、建物の壁により開口部１０が塞がれることがなく、安定した音質、音量の音声メッセージが得られることになる。
【００３７】
また、本体ケース２内で結露水が発生して底板７上面に流下しても、スピーカ５は環状突部３の上面に取付けてあるので、結露水がスピーカ５に浸入することがないものである。
【図面の簡単な説明】
【００３８】
【図１】本発明のスピーカ取付け部分の断面図である。
【図２】（ａ）は同上の給水ホース、吐出ホース、排水ホース、給電用配線を省略した状態のアルカリイオン整水器の正面図であり、（ｂ）は側面図である。
【図３】同上の給水ホース、吐出ホース、排水ホース、給電用配線を省略した状態の下面図である。
【図４】（ａ）（ｂ）は同上の給水ホース、吐出ホース、排水ホース、給電用配線を設けて外部への導出形態が異なる例を示す下面図である。
【図５】概略全体図である。
【図６】同上の概略配管構成図である。
【符号の説明】
【００３９】
Ａ  アルカリイオン整水器
１  電解槽
２  本体ケース
３  環状突部
４  載置用脚部
５  スピーカ
６  共鳴室
７  底板
８  下空所
９  出口用孔
１０  開口部
１１  給水ホース
１２  吐出ホース
１３  給電用配線
１４  振動板
１５  防振ゴム
【図１】
2007196078.tif 000003
【図２】
2007196078.tif 000004
【図３】
2007196078.tif 000005
【図４】
2007196078.tif 000006
【図５】
2007196078.tif 000007
【図６】
2007196078.tif 000008